(57)【要約】  【課題】腰痛の治療方法並びに腰痛治療装置に関し、仰向け状態で腰部を逆さに吊り上げ、しかも腰部を左右に交互に捩る動作を実現することによって、効果的に腰痛を治療可能とする。  【解決手段】患者が仰向けに寝た状態で、腰に巻いた腰帯と一体の尻置きシートの股間部を逆さに吊り上げると共に、尻置きシートの左右両端を交互に引き上げ操作することによって、腰部を左右に交互に捩じり可能とする使用方法である。患者自身の体重を利用して腰部の脊椎並びに脊椎と骨盤間を引き伸ばし、しかも尻部ないし腰部を交互に捩じる操作を行なうため、脊椎並びに脊椎と骨盤間を徐々に正常な状態に矯正でき、しかも患者自身の操作で腰痛を治療できる。【選択図】          図１
2006320426.tif 000002
【特許請求の範囲】
【請求項１】
患者が仰向けに寝た状態で、腰に巻いた腰帯と一体の尻置きシートの股間部を逆さに吊り上げると共に、尻置きシートの左右両端を交互に引き上げ操作することによって、腰部を左右に交互に捩じり可能とすることを特徴とする腰痛治療装置の使用方法。
【請求項２】
患者の腰部に巻き付け固定する腰帯と、仰向けに寝た状態の患者の腰部と尻部を載せる尻置きシートが一体になっており、尻置きシートの尻側の左右両端に交互引き上げ用の吊り上げ手段を連結可能にしてあり、尻置きシートの股間部に腰部吊り上げ手段を連結可能にしてある尻置きシートからなることを特徴とする腰痛治療装置。
【請求項３】
前記の尻置きシートの股間部を吊り上げる股間部吊り上げ手段と、尻置きシートの左右両端を交互に引き上げ操作する交互引き上げ手段とを有し、患者の腰部を逆さに吊り上げた状態で腰部を左右に交互に捩じるような操作を可能としたことを特徴とする請求項２に記載の腰痛治療装置。
【請求項４】
前記の股間部吊り上げ手段と、交互引き上げ手段は、吊り上げ台に滑車を設けた構造であり、股間部吊り上げ手段は逆止機構を装備していることを特徴とする請求項２または請求項３に記載の腰痛治療装置。
【請求項５】
前記の各滑車を患者自身が手動操作できるように、前記尻置きシートに連結したロープ状体を各滑車を介して、手の届く範囲まで延長してあることを特徴とする請求項２、請求項３または請求項４に記載の腰痛治療装置。
【発明の詳細な説明】
【技術分野】
【０００１】
本発明は、腰痛の治療方法並びに腰痛治療装置に関し、仰向けに寝た状態で腰部を逆さに吊り上げて、腰部を左右に交互に捩じるような操作を行なう装置である。
【背景技術】
【０００２】
仰向けに寝た状態で腰部を吊り上げて使用する腰痛矯正装置として、特許第3439689 号が提案されている。すなわち、患者の要部に巻き付けた腰巻帯をウインチ機構で吊り上げて、足をある程度上げたところで、レッグの下にレッグ載置台を移動させて、レッグ搭載テーブルを上昇させ、治療体勢にする。この治療体勢を約１０分間程度維持する。
【特許文献１】特許第3439689
【発明の開示】
【発明が解決しようとする課題】
【０００３】
しかしながら、この腰痛矯正装置による治療体勢は、仰向け状態で腰部を単に吊り上げるだけであるため、腰椎を引き伸ばす作用が少なく、十分な治療効果が期待できるとは思えない。しかも、前記の治療体勢を約１０分間程度維持するだけであるから、この点でも腰椎の引き伸ばし効果が少ない。加えて、ウインチやテーブル面が上下動できるレッグ載置台などが必要となり、複雑で高価な装置を要し、普及が期待できない。
【０００４】
本発明の技術的課題は、このような問題に着目し、仰向け状態で腰部を逆さに吊り上げ、しかも腰部を左右に交互に捩る動作を実現することによって、効果的に腰痛を治療可能とすることにある。
【課題を解決するための手段】
【０００５】
本発明の技術的課題は次のような手段によって解決される。請求項１は、患者が仰向けに寝た状態で、腰に巻いた腰帯と一体の尻置きシートの股間部を逆さに吊り上げると共に、尻置きシートの左右両端を交互に引き上げ操作することによって、腰部を左右に交互に捩じり可能とすることを特徴とする腰痛治療装置の使用方法である。
【０００６】
このように、患者が仰向けに寝た状態で、腰に巻いた腰帯と一体の尻置きシートの股間部を逆さに吊り上げるため、患者の身体の脊椎の部位を中心にして尻部を容易に左右に捩じることができる。したがって、尻置きシートの左右両端を交互に引き上げ操作することによって、尻部ないし腰部を左右に交互に捩じる方法によると、患者自身の体重を利用して腰部の脊椎並びに脊椎と骨盤間を引き伸ばし、しかも引き伸ばした状態で尻部ないし腰部を交互に捩じる操作を行なうため、脊椎並びに脊椎と骨盤間を徐々に正常な状態に矯正でき、しかも患者自身の操作で腰痛を治療できる。
【０００７】
請求項２は、患者の腰部に巻き付け固定する腰帯と、仰向けに寝た状態の患者の腰部と尻部を載せる尻置きシートが一体になっており、尻置きシートの尻側の左右両端に交互引き上げ用の吊り上げ手段を連結可能にしてあり、尻置きシートの股間部に腰部吊り上げ手段を連結可能にしてある尻置きシートからなることを特徴とする腰痛治療装置である。
【０００８】
このように、患者の腰部に巻き付け固定する腰帯と、仰向けに寝た状態の患者の腰部と尻部を載せる尻置きシートが一体になっているため、この尻置きシートを使用することで請求項１の腰痛治療方法が容易に実施できる。すなわち、この尻置きシートの尻側の左右両端に交互引き上げ用の吊り上げ手段を連結可能にしてあり、尻置きシートの股間部に腰部吊り上げ手段を連結可能にしてあるため、交互引き上げ手段と腰部吊り上げ手段に連結するだけで、腰部を逆さに吊り上げた状態で、交互引き上げ手段を交互に操作することによって、請求項１のように腰部の脊椎並びに脊椎と骨盤間を体重で引き伸ばした状態で尻部ないし腰部を交互に捩じる操作が可能となる。
【０００９】
請求項３は、前記の尻置きシートの股間部を吊り上げる股間部吊り上げ手段と、尻置きシートの左右両端を交互に引き上げ操作する交互引き上げ手段とを有し、患者の腰部を逆さに吊り上げた状態で腰部を左右に交互に捩じるような操作を可能としたことを特徴とする請求項２に記載の腰痛治療装置である。
【００１０】
このように、前記の尻置きシートの股間部を吊り上げる股間部吊り上げ手段と、尻置きシートの左右両端を交互に引き上げ操作する交互引き上げ手段とを有しているため、請求項２の尻置きシートと連結するだけで、患者自身の腰部を逆さに吊り上げた状態で腰部を左右に交互に捩じるような操作を行なって、請求項１の腰痛治療方法を実施することが可能となる。
【００１１】
請求項４は、前記の股間部吊り上げ手段と、交互引き上げ手段は、吊り上げ台に滑車を設けた構造であり、股間部吊り上げ手段は逆止機構を装備してあることを特徴とする請求項２または請求項３に記載の腰痛治療装置である。股間部吊り上げ手段の逆止機構は、必ずしも滑車に設ける必要性はなく、滑車と別に設けてもよい。このように、前記の股間部吊り上げ手段と交互引き上げ手段は、吊り上げ台に滑車を設けた構造であるため、滑車を操作するだけで容易に尻置きシートの股間部を吊り上げて腰部を逆さに吊り上げることができ、かつ尻置きシートの左右両端を交互に引き上げ操作することができる。しかも、股間部吊り上げ手段には逆止機構を装備してあるため、患者の腰部を吊り上げて高さ調節した状態にロックして維持できる。なお、吊り上げ台は、市販の脚立などを利用してもよい。
【００１２】
請求項５は、前記の各滑車を患者自身が手動操作できるように、前記尻置きシートに連結したロープ状体を各滑車を介して、手の届く範囲まで延長してあることを特徴とする請求項２、請求項３または請求項４に記載の腰痛治療装置である。なお、ロープ状体とは、通常のロープに限らず紐やワイヤーなども含むことを意味する。このように、前記尻置きシートに連結したロープ状体を各滑車を介して、手の届く範囲まで延長してあり、尻置きシートに連結したロープ状体を滑車を介して手で引き上げ操作可能とした構造であるため、患者自身がロープ状体を介して滑車を手動操作して、尻置きシートの股間部を吊り上げて腰部を逆さに吊り上げ固定したり、尻置きシートの左右両端を交互に引き上げ操作して、患者自身で腰痛を治療できる。
【発明の効果】
【００１３】
請求項１のように、患者が仰向けに寝た状態で、腰に巻いた腰帯と一体の尻置きシートの股間部を逆さに吊り上げるため、患者の身体の脊椎の部位を中心にして身体を容易に左右に捩じることができる。したがって、尻置きシートの左右両端を交互に引き上げ操作することによって、腰部を左右に交互に捩じる方法によると、患者自身の体重を利用して腰部の脊椎並びに脊椎と骨盤間を引き伸ばし、しかも引き伸ばした状態で腰部を交互に捩じる操作を行なうため、脊椎並びに脊椎と骨盤間を徐々に正常な状態に矯正でき、しかも患者自身の操作で腰痛を治療できる。
【００１４】
請求項２のように、患者の腰部に巻き付け固定する腰帯と、仰向けに寝た状態の患者の腰部と尻部を載せる尻置きシートが一体になっているため、この尻置きシートを使用することで請求項１の腰痛治療方法が容易に実施できる。すなわち、この尻置きシートの尻側の左右両端に交互引き上げ用の吊り上げ手段を連結可能にしてあり、尻置きシートの股間部に腰部吊り上げ手段を連結可能にしてあるため、交互引き上げ手段と腰部吊り上げ手段に連結するだけで、腰部を逆さに吊り上げた状態で、交互引き上げ手段を交互に操作することによって、請求項１のように腰部の脊椎並びに脊椎と骨盤間を体重で引き伸ばした状態で尻部ないし腰部を交互に捩じる操作が可能となる。
【００１５】
請求項３のように、前記の尻置きシートの股間部を吊り上げる股間部吊り上げ手段と、尻置きシートの左右両端を交互に引き上げ操作する交互引き上げ手段とを有しているため、請求項２の尻置きシートと連結するだけで、患者自身の腰部を逆さに吊り上げた状態で腰部を左右に交互に捩じるような操作を行なって、請求項１の腰痛治療方法を実施することが可能となる。
【００１６】
請求項４のように、前記の股間部吊り上げ手段と交互引き上げ手段は、脚立状の吊り上げ台に滑車を設けた構造であるため、滑車を操作するだけで容易に尻置きシートの股間部を吊り上げて尻部ないし腰部を逆さに吊り上げることができ、かつ尻置きシートの左右両端を交互に引き上げ操作することができる。しかも、股間部吊り上げ手段は逆止機構を装備してあるため、患者の尻部ないし腰部を吊り上げて高さ調節した状態にロックして維持できる。吊り上げ台は、市販の脚立などでも代用できる。
【００１７】
請求項５のように、尻置きシートに連結したロープ状体が各滑車を介して手の届く範囲まで延長してあり、尻置きシートに連結したロープ状体を滑車を介して手で引き上げ操作可能とした構造であるため、患者自身がロープ状体を介して滑車を手動操作して、尻置きシートの股間部を吊り上げて尻部ないし腰部を逆さに吊り上げ固定したり、尻置きシートの左右両端を交互に引き上げ操作して、患者自身で腰痛を治療できる。
【発明を実施するための最良の形態】
【００１８】
次に本発明による腰痛治療方法並びに腰痛治療装置が実際上どのように具体化されるか実施形態を説明する。図１は本発明による腰痛治療装置の全容を示す斜視図である。１は尻置きシートであって、図３のように患者２が仰向けに寝た状態で患者自身の尻部と腰部を載せるもので、腰部に巻き付け固定する腰帯３を縫い付け又は接着固定してある。したがって、腰帯３を患者自身の腰部に巻き付けてマジックテープ（登録商標）などと呼ばれている面ファスナーなどで両端同士を連結固定すると、尻置きシート１を患者自身の腰部や尻部の下に取付けることができる。こうして、患者自身の尻部を尻置きシート１の上に載せた際に、尻置きシート１の股間部１ｃに腰部吊り上げ用のロープ４を連結してある。また、尻置きシート１の尻側の左右両端位置１ａ、１ｂに、交互引き上げ用のロープ５、６を連結してある。
【００１９】
脚立状をした吊り上げ台７は、左右に八字状に開いた脚部７１、７２を有しており、両脚部７１、７２の上端間に設けた頂端連結部７３を有している。左右の脚部７１、７２の下端の間隔は６０〜８５ｃｍ程度であり、前記の頂端部７３の左右方向の幅は１５〜３０ｃｍ程度である。左右の脚部７１、７２間において、患者自身が仰向けに寝た状態で、前記の尻置きシート１の上に患者自身の尻部ないし腰の部分を載せた状態で、腰部に腰帯３を巻き付け固定してから、前記のロープ４によって、尻置きシート１の股間部１ｃを吊り上げる。
【００２０】
そして、前記の頂端連結部７３に引っ掛け支持してあるフック８に滑車９を取付け、この滑車９に前記のロープ４を通して、先端４１は、患者自身が引っ張れるように延ばしてある。この滑車９は、ロープ４を巻き上げる方向には自由に回転するが、患者自身の体重でロープ４がロックされて逆方向には回転できない構造になっている。したがって、腰部の吊り上げ高さを調節した状態に維持できる。治療終了後は、患者自身で腰帯３を解けば尻置きシート１から自由になり、滑車９のロック機構に作用する体重も解除されるので、ロック機構が作用しなくなってロープ９が逆方向に走行して、尻置きシートを下降させることができる。
【００２１】
左右の脚部７１、７２の頂端７１ｔ、７２ｔには滑車１０、１２を取付け支持してあり、左側の滑車１０には、前記尻置きシート１の左端に連結したロープ５を通して、その先端に操作取っ手１１を取付けてある。また、右側の滑車１２には、前記尻置きシート１の右端に連結したロープ６を通して、その先端に操作取っ手１３を取付けてある。なお、脚部頂端７１ｔ、７２ｔの患者身長方向の寸法は２５〜３５ｃｍ程度であり、脚部７１、７２下端の患者身長方向の寸法は４０〜６０ｃｍ程度である。
【００２２】
前記ロープ４、５、６の経路を模式的に図示すと、図２のようになる。すなわち、尻置きシート１の股間部１ｃに連結したロープ４を滑車９に通して、その先端４１を患者自身で引っ張れるように延長してある。尻置きシート１の左側１ａに連結したロープ５を滑車１０に通して、先端に操作取っ手１１を取付けてある。また、右側の滑車１２には、前記尻置きシート１の右端に連結したロープ６を通して、その先端に操作取っ手１３を取付けてある。このように、各ロープ４、５、６は、患者自身の手の届く範囲まで延長してあるので、尻置きシート１に連結した各ロープは、滑車を介して手で引き上げ操作できる。
【００２３】
この腰痛治療装置で腰痛を治療するに際して、図１の尻置きシート１の上に腰部と尻部を載せた状態で、患者自身の腰部２ｗに腰帯３を巻き付け固定すると、図３のようになる。すなわち、患者の腰部２ｗに腰帯３を強く巻き付けて、腰帯両端を面ファスナー３ｆなどで連結固定しておく。このとき、左脚の太股の部分Ｌは腰部吊り上げロープ４と左側の交互引き上げロープ５との間に位置させ、右脚の太股の部分Ｒは腰部吊り上げロープ４と右側の交互引き上げロープ６との間に位置させる。
【００２４】
次いで、腰部吊り上げロープ４で尻置きシート１の股間部１ｃを吊り上げて、腰部２ｗを逆さ方向に吊り上げるが、この際に図３のように補助いす１４を使用すると、腰部の吊り上げ操作が容易になる。すなわち、図３のように、患者自身の両足の位置に予め補助いす１４などの台を置いておくのがよい。そして、この補助いす１４に患者自身の両足を置いた状態で、腰部吊り上げロープ４の先端４１を患者自身が両手で引っ張ると、滑車９を経由して、尻置きシート１の股間部１ｃが引き上げられる。その結果、患者自身の腰部２ｗが逆さに吊り上げられた状態となる。
【００２５】
ただし、「逆さに」とはいっても、「真っ逆さま」という意味ではなく、図３のように、３０〜４０度程度の傾斜状態となる。この傾斜角度を更に大きくしたい場合は、左右の脚部７１、７２の上部間に渡した両脚の開度固定バー１５に足入れベルト１６を設けて、その中に両足を挿入しておくとよい。あるいは、足入れベルト１６の位置に横板を設けて、その上に両足を載せてもよい。滑車９は、逆転阻止構造になっているため、腰部２ｗを適度の高さまで引き上げたら、ロープ４１の引っ張りを止めると、逆転阻止機構が働いて、ロープ４はロックされるので、腰部２ｗは最適位置に吊った状態に保持される。
【００２６】
このような状態において、左側の交互引き上げロープ５の取っ手１１を左手で徐々に引っ張っると、尻置きシート１ａの左側が引き上げられるため、腰部２ｗの左側が上向きに捩られる。この状態を数秒間保持する。次いで、左側の取っ手１１を徐々に元に戻す。その後、右側の交互引き上げロープ６の取っ手１３を右手で徐々に引っ張っると、尻置きシート１の右側１ｂが引き上げられるため、腰部２ｗの右側が上向きに捩られる。そしてこの状態を数秒間保持する。その後、右側の取っ手１１を徐々に元に戻すと、１サイクルが終わる。以下、前記の操作を繰り返すことによって、患者自身で自分の腰部を左右に交互に捩ることができる。このような操作を、腰部を逆さに吊り上げて腰部の脊椎を引き伸ばした状態で行なうため、円滑かつ効果的に腰部の脊椎を矯正して、腰痛を治療できる。
【００２７】
このように患者自身が仰向けに寝た状態で自分で腰痛治療するため、尻置きシート１の股間部１ｃを吊り上げる滑車９は、図３のように、八字状に開いた左右の脚部７１と７２のほぼ中間位置において、足先寄りに吊り下げ支持しておくのがよい。また、尻置きシートの左右端１ａ、１ｂを吊り上げる交互引き上げロープ５、６を吊り上げる左右の滑車１０、１２は、図３のように、左右の脚部７１、７２の上端７１ｔ、７２ｔにおいて、患者自身の頭部２ｈ寄りの位置に吊り下げ支持しておくのがよい。なお、腰部を左右に捩る際に、さらに強く捩りたい場合は、左側の交互引き上げロープ５を右上の滑車１２に通して右手で引っ張り、右側の交互引き上げロープ６を左上の滑車１０に通して左手で引っ張ることによって、ロープ５、６を腰部２ｗの上方でＸ字状にクロスさせることもできる。
【００２８】
以上のようにして腰痛治療を完了した後は、患者自身で腰帯３を解けば尻置きシート１から自由になれる。こうして自由になった状態では、滑車９のロック機構に体重は作用しなくなるので、容易にロックを解除して、ロープ９を逆方向に走行させ、尻置きシートを下降させて元に戻すことができる。このように、腰痛治療装置の取り扱いも簡便である。
【００２９】
以上の構成において、吊り上げ台７は、頂端連結部７３に設けた回動支点で折り畳み可能とし、両脚部７１、７２を折り重ねてコンパクト化し、保管や搬送を簡便にすることもできる。なお、吊り上げ台７の材質は特に限定されないが、強度上は木材でなく、金属製が望ましい。金属製の場合は、全体をパイプを連結して構成することもできるが、型鋼なども利用できる。防錆や堅牢性の点からはステンレスも好適であるが、アルミニウム性が軽量化できる。
【００３０】
以上の吊り上げ台７は、図４のように、市販の折り畳み式脚立を利用することもできる。この場合、市販の脚立における上部寄りの足置き部７４、７５に、前記の滑車１０、１２をフックなどで取付け可能にするだけでよい。また、左右の脚部７１、７２間を開脚状態に固定する開度固定バー１５に、尻置きシート１の股間部１ｃをロープ４で吊り上げる滑車９を取付け支持可能にしておくだけでよい。なお、図１、図３、図４における手前側の開度固定バー１５は、操作の邪魔になるため、引っ掛けピン１７から外した状態になっている。
【産業上の利用可能性】
【００３１】
以上のように、本発明装置によると、尻置きシートを用いることによって、腰部を逆さに吊り上げた状態で、尻部ないし腰部を交互に引き上げ操作して、患者自身で自分の尻部ないし腰部を交互に左右に捩じることができ、腰部の脊椎並びに脊椎と骨盤間を自重で伸ばした状態で左右に捩じって効果的かつ確実に腰痛を治療できる。
【図面の簡単な説明】
【００３２】
【図１】本発明による腰痛治療装置の全容を示す斜視図である。
【図２】腰部吊り上げロープと交互引き上げロープの経路を模式的に示すである。
【図３】図１の腰痛治療装置の使用方法を説明する斜視図である。
【図４】吊り上げ台として市販の脚立を利用した実施形態を示す斜視図である。
【符号の説明】
【００３３】
１  尻置きシート
２  患者
２ｗ  患者の腰部
３  腰帯
４  腰部吊り上げ用のロープ
５・６  交互引き上げ用のロープ
７  吊り上げ台
７１  右側の脚部
７２  左側の脚部
７３  頂端連結部
９・１０・１２  滑車
１１・１３  操作取っ手
１４  補助いす
【図１】
2006320426.tif 000003
【図２】
2006320426.tif 000004
【図３】
2006320426.tif 000005
【図４】
2006320426.tif 000006